(57)【特許請求の範囲】
【請求項１】
絶縁性弾性材と導電性弾性材とを交互に配して角柱体に成形し且つその複数の面部に前記導電性弾性材の端部を表出させたコネクタを備え、このコネクタの一つの側面部がプリント基板に接触して、前記導電性弾性材の端部を前記プリント基板の電気接点部に接触させると共に、前記コネクタの前記プリント基板との接触面に対して直角をなす他の側面部がデイスプレイに接触して、前記導電性弾性材の端部を前記デイスプレイの電気接点部に接触させ、
さらに、前記コネクタの前記プリント基板及び前記デイスプレイへのそれぞれの接触を、前記プリント基板の実装面に前記コネクタを押圧して保持するためのコネクタホルダと、前記デイスプレイを前記コネクタに押圧してこのデイスプレイを前記プリント基板に装着保持する押え部材と、から構成する圧縮保持手段により前記コネクタを圧縮保持して行うようにし、
前記コネクタホルダが、前記プリント基板に前記コネクタを取り付けるべく、前記プリント基板に設けた係止孔に係脱可能に係合する係合爪部と、前記コネクタの上面部を圧迫して当該コネクタの上下方向を圧縮すると共に下面部を前記プリント基板に圧接させる押え突起部と、を有して構成しており、
また、前記押え部材が、前記プリント基板の前側に前記デイスプレイを収容した状態で配置されると共に、前記デイスプレイを前記プリント基板に取り付けるべく、前記デイスプレイの上部に引っ掛かる上側係合爪と、前記プリント基板に設けた係止部に係脱可能に係合する下側係合爪と、を有して構成したことを特徴とするデイスプレイ接続構造。
【請求項２】
請求項１に記載のデイスプレイ接続構造を用いたことを特徴とする電子機器。
【発明の詳細な説明】
【０００１】
【発明の属する技術分野】
本発明は、液晶デイスプレイのようなデイスプレイの接続構造とこの接続構造を用いた電子機器に関するものである。
【０００２】
【従来の技術】
従来の電子機器、例えばカウンタ機器における液晶デイスプレイ接続構造は、図８に示すように導電性弾性材３０を中にしてその両面側に絶縁性弾性材３１を配して角柱体に成形し且つその両側面部に導電性弾性材３０の端部を表出させた弾性を有するコネクタ３２を用いて、図１１に示すようにコネクタ３２の一方の側面部３２ａをＬＣＤ（液晶ディスプレイ）３３に接触させると共に、コネクタ３２の他方の側面部３２ｂをプリント基板３４に接触させて構成してある。
【０００３】
また、カウンタ機器にあっては、図１２に示すように、その機器本体３５のケース３６の前側外周部にフランジ部３７を形成していて、このカウンタ機器を操作パネル３８に装着する場合には、フランジ部３７と操作パネル３８との間にゴムパッキン３９を介装することにより防水処理を行っていた。
【０００４】
【発明が解決しようとする課題】
しかしながら、上記した従来の液晶デイスプレイ接続構造にあっては、コネクタ３２のプリント基板３４への接触面３２ａに対してコネクタのＬＣＤ３３への接触面３２ｂが平行していて、同じ直線イ上に位置しているために、プリント基板３４はカウンタ機器の機器本体に垂直に装着されることになる。この場合、この機器本体の前部分の寸法制約があって、回路によっては２枚のプリント基板構成を取らざるを得なくなり、基板構成が複雑になるという問題点があった。
【０００５】
また、上記したカウンタ機器の防水構成にあっては、ゴムパッキン３９が別途に必要になるし、このゴムパッキン３９の装着に伴う作業が必要になって、作業工数が増加するという問題点があった。
【０００６】
本発明は、上記の問題点に着目して成されたものであって、その第１の目的とするところは、奥行き寸法が大きいプリント基板を選択することが可能になって、同一回路であれば１枚のプリント基板で済み、基板構成が簡単になるデイスプレイ接続構造を提供することにある。
【０００７】
また、本発明の第２の目的とするところは、奥行き寸法が大きいプリント基板を選択することが可能になって、同一回路であれば１枚のプリント基板で済み基板構成が簡単になる電子機器を提供することにある。
【０００８】
【課題を解決するための手段】
上記の第１の目的を達成するために、請求項１の発明に係るデイスプレイ接続構造は、絶縁性弾性材と導電性弾性材とを交互に配して角柱体に成形し且つその複数の面部に前記導電性弾性材の端部を表出させたコネクタを備え、このコネクタの一つの側面部がプリント基板に接触して、前記導電性弾性材の端部を前記プリント基板の電気接点部に接触させると共に、前記コネクタの前記プリント基板との接触面に対して直角をなす他の側面部がデイスプレイに接触して、前記導電性弾性材の端部を前記デイスプレイの電気接点部に接触させ、さらに、前記コネクタの前記プリント基板及び前記デイスプレイへのそれぞれの接触を、前記プリント基板の実装面に前記コネクタを押圧して保持するためのコネクタホルダと、前記デイスプレイを前記コネクタに押圧してこのデイスプレイを前記プリント基板に装着保持する押え部材と、から構成する圧縮保持手段により前記コネクタを圧縮保持して行うようにし、前記コネクタホルダが、前記プリント基板に前記コネクタを取り付けるべく、前記プリント基板に設けた係止孔に係脱可能に係合する係合爪部と、前記コネクタの上面部を圧迫して当該コネクタの上下方向を圧縮すると共に下面部を前記プリント基板に圧接させる押え突起部と、を有して構成しており、また、前記押え部材が、前記プリント基板の前側に前記デイスプレイを収容した状態で配置されると共に、前記デイスプレイを前記プリント基板に取り付けるべく、前記デイスプレイの上部に引っ掛かる上側係合爪と、前記プリント基板に設けた係止部に係脱可能に係合する下側係合爪と、を有して構成したことを特徴とする。
【０００９】
かかる構成により、コネクタのプリント基板への接触面に対してコネクタのデイスプレイへの接触面が直角であって、プリント基板をデイスプレイに対して直角に配置することができる。このために、より大きな、すなわち、奥行き寸法が大きいプリント基板を選択することが可能になって、同一回路であれば１枚のプリント基板で済み、基板構成が簡単になる。
【００１１】
また、かかる構成により、圧縮保持手段がコネクタを圧縮してコネクタをプリント基板及びデイスプレイに接触させることができて、コネクタの導電性弾性材の端部をプリント基板及びデイスプレイのそれぞれの電気接点部に確実に接触させることができる。
【００１３】
また、かかる構成により、コネクタホルダでプリント基板の実装面にコネクタを押圧して保持し、また、押え部材でデイスプレイをコネクタに押圧して、このデイスプレイをプリント基板に装着することができて、コネクタの導電性弾性材の端部をプリント基板及びデイスプレイのそれぞれの電気接点部に確実に接触させることができる。
【００１４】
また、上記の第２の目的を達成するために、請求項２の発明に係る電子機器は、請求項１に記載のデイスプレイ接続構造を用いたことを特徴とする。
【００１５】
かかる構成により、奥行き寸法が大きいプリント基板を選択することが可能になって、同一回路であれば１枚のプリント基板で済み基板構成が簡単になる電子機器が作成できる。
【００１８】
【発明の実施の形態】
以下、本発明の実施の形態を図面に基づいて説明する。
【００１９】
図１は本発明に係る電子機器（カウンタ機器）の斜視図、図２は同電子機器の縦断面図、図３は図２のＱ部の拡大図、図４はフロントモジュール押し部材の斜視図、図５はコネクタホルダの斜視図、図６はコネクタホルダの一部断面した斜視図、図７はコネクタの斜視図である。
【００２０】
本発明に係る電子機器としてのカウンタ機器Ａは機器本体１の内部に、電子部品（図示せず）を実装したプリント基板２と、このプリント基板２にコネクタ３を介して導通されたＬＣＤ（液晶ディスプレイ）（ディスプレイ）４と、プリント基板２とＬＣＤ４とを連結すると共に、コネクタ３のプリント基板２及びＬＣＤ４へのそれぞれの接触にあたってコネクタ２を圧縮する圧縮保持手段と、プリント基板２に導通された、電源としての電池５等を収納して構成してある。
【００２１】
すなわち、機器本体１は透明な合成樹脂製のケース６を有しており、このケース６は、前面部６Ａと、左、右面部６Ｂ、６Ｃと、上、下面部６Ｄ、６Ｅとを有する、後面部が開放されたボックス形状をしており、ケース６の外周部の前側には、ケース６の成形時に２色成形によりこのケース６と一体に弾性を有する樹脂、例えばシリコン樹脂によるシール部７が、また、ケース６の前面部６Ａには、シール部７と一体にしてシリコン樹脂によるスイッチ作動部材８とがそれぞれ形成してある。
【００２２】
すなわち、このシール部７は、ケース６の左、右面部６Ｂ、６Ｃ及び上、下面部６Ｄ、６Ｅのそれぞれの外面のみならず、前面部６Ａの周囲にまで形成してある。そして、このシール部７の前面形成部７Ａの下部にスイッチ作動部材８が一体成形してある。このスイッチ作動部材８は、前面形成部７Ａに連なるドーム状の押釦部９の中央に棒状の作動部１０を形成したものであり、この作動部１０は、ケース６の成形時に前面部６Ａに形成された孔部１１を貫通している。
【００２３】
また、ＬＣＤ４は、ケース６の前面部６Ａの内面側に沿う長方形状の板状体であり、このＬＣＤ４の後面部４ａの下部には左右方向（紙面に対して垂直方向）に沿う切欠きより成るコネクタ装着部１２が形成してある。
【００２４】
また、導通部材であるコネクタ３は、図７に示すように絶縁性弾性材（例えば絶縁性ゴム）３Ａと、導電性弾性材（例えば導電性ゴム）３Ｂとを交互に配置して四角柱体に成形して構成してあり、この導通部材３の４つの側面部２０ａ、２０ｂ、２０ｃ、２０ｄには同じ導電性弾性材３Ｂの端面２１ａ、２１ｂ、２１ｃ、２１ｄが表出している。
【００２５】
圧縮保持手段は、フロントモジュール押え部材（押え部材）１３とコネクタホルダ１４とから構成してある。フロントモジュール押え部材１３は、図４に示すように透明な合成樹脂での成形品であり、前面部１３Ａと、左、右面部１３Ｂ、１３Ｃ及び上、下面部１３Ｄ、１３Ｅとを有しており、上面部１３Ｄの左、右端部には上側係合爪部１９Ａが、下面部１３Ｅの左、右端部には下側係合爪部１９Ｂがそれぞれ突設してあり、下側係合爪部１９Ｂは上側係合爪部１９Ａより長くしてある。また、前面部１３Ａの下部の右側には孔部１６が形成してある。
【００２６】
また、コネクタホルダ１４は、図５及び図６に示すように合成樹脂製の成形品であり、上面部１４Ａと、左、右面部１４Ｂ、１４Ｃ及び後面部１４Ｄとを有しており、この後面部１４Ｄの左、右端部には係合爪部１７が形成してある。また、上面部１４Ａの下側面部１４ａには、左右方向に沿う押え用突起部１８Ａ、１８Ｂが、左右に形成してあり、これらの押え用突起部１８Ａ、１８Ｂ間には逃げ用の隙間１８Ｃが形成してある。
【００２７】
そして、プリント基板２にはコネクタ３がコネクタホルダ１４を介して取り付けてある。この場合、コネクタホルダ１４の係合爪部１７をプリント基板２に設けた係止孔２０に係脱可能に係合させて、このコネクタホルダ１４をプリント基板２に取り付ける。コネクタホルダ１４はコネクタ３の後半分を覆うと共に、上面部１４Ａに設けた押え用突起部１８Ａ、１８Ｂがコネクタ３の上面部（側面部２０ａ）を圧迫して、このコネクタ３を上下方向に圧縮し、コネクタ３の下面部（側面部２０ｃ）をプリント基板２に圧接させている。そして、コネクタ３の導電性弾性材３Ｂがプリント基板２に設けた電気接点部（図示せず）に接触している。
【００２８】
また、プリント基板２の前側にはＬＣＤ４を収容した状態でフロントモジュール押え部材１３が配置してあり、このＬＣＤ４のコネクタ装着部１２には、コネクタ３が、その前面部（側面部２０ｄ）及び上面部（側面部２０ａ）の一部を接触させて沿わせてある。そして、フロントモジュール押え部材１３の上側係合爪部１９ＡはＬＣＤ４の上部に引っ掛けてあり、また、下側係合爪部１９Ｂはプリント基板２に設けた係止部２１に係脱可能に係合していて、ＬＣＤ４がフロントモジュール押え部材１３によりプリント基板２に取り付けてある。
【００２９】
この場合、フロントモジュール押え部材１３によりＬＣＤ４は後方向に押えられており、このために、コネクタ３は前後方向に圧縮されて、コネクタ３の前面部（側面部２０ｄ）がＬＣＤ４に圧接しており、コネクタ３の導電性弾性材３ＢがＬＣＤ４に設けた電気接点部（図示せず）に接触している。
【００３０】
また、プリント基板２の後部には絶縁性の端子台２２が取り付けてあり、この端子台２２に設けられた端子２３のリード２３ａはプリント基板２に接続してあり、また、端子台２２には電池装着部２４が形成してあって、この電池装着部２４に電池５が装着している。
【００３１】
そして、上記したようにプリント基板２は、このプリント基板２にコネクタ３を介して導通されたＬＣＤ４と、コネクタホルダ１４及びフロントモジュール押え部材１３と、端子台２２等を搭載することでユニットＵを構成している。
【００３２】
そして、このユニットＵはケース６に収納されていて、ＬＣＤ４がケース６の前面部後方に位置し、スイッチ作動部材８の作動部１０は、フロントモジュール押え部材１３の前面部１３Ａに設け孔部１６に挿入してあって、プリント基板２に設けたスイッチ（図示せず）の作動子に対向しており、また、端子台２２は、その周部の係止爪部２２ａをケース６に設けた係止孔２６に係脱可能に係合させてユニットＵをケース６に固定している。
【００３３】
そして、このように構成されたカウンタ機器Ａは、図２に示すように操作パネル３０に装着される。この場合、ケース６の前部に２色成形により形成されたシール部７が操作パネル３０に前面に圧接して防水機能を発揮している。
【００３４】
また、スイッチ作動部材８の押釦部９を押すことにより、作動部１０で、プリント基板２に設けたスイッチの作動子を作動させて、例えば、リセット動作を行わせる。
【００３５】
上記した本発明の実施の形態例にあっては、デイスプレイ接続構造を、コネクタ３を絶縁性弾性材３Ａと導電性弾性材３Ｂとを交互に配して４角柱体に成形し且つその４つの面部に導電性弾性材３Ｂの端部を表出させて構成し、このコネクタ３の下面部をプリント基板２に接触して、導電性弾性材３Ｂの端部をプリント基板２の電気接点部に接触させると共に、コネクタ３のプリント基板２との接触面に対して直角をなす前面部をＬＣＤ４に接触して、導電性弾性材３Ｂの端部をＬＣＤ４の電気接点部に接触させたために、コネクタ３のプリント基板２への接触面に対してコネクタ３のＬＣＤ４への接触面が直角であって、プリント基板２をＬＣＤ４に対して直角に配置することができる。このために、より大きな、すなわち、奥行き寸法が大きいプリント基板２を選択することが可能になって、同一回路であれば１枚のプリント基板２で済み、基板構成が簡単になる。
【００３６】
上記した本発明の実施の形態例にあっては、機器本体１のケース６の外周部に、弾性を有する樹脂によるシール部７を２色成形により設けたので、カウンタキキが操作パネル３０に装着された場合、ケース６の前部にシール部７が操作パネル３０の前面に圧接して防水機能を発揮する。このために、ゴムパッキンが別途に必要ではなく、このゴムパッキンの装着に伴う作業が不必要になって、作業工数を低減することができる。
【００３７】
なお、図９に示すようにＬＣＤ４の上下にプリント基板２を配して、このＬＣＤ４とプリント基板２とを上記した実施の形態例と同様にしてコネクタ３に導通させてもよいし、また、機器本体１のケース６の外周部に、弾性を有する樹脂によるシール部７を２色成形により設ける電子機器としては、図１０に示すようなＬＣＤ４に対してプリント基板２が平行するような配置のものであってもよい。
【００３８】
【発明の効果】
以上説明したように、請求項１の発明に係るデイスプレイ接続構造によれば、コネクタのプリント基板への接触面に対してコネクタのデイスプレイへの接触面が直角であって、プリント基板をデイスプレイに対して直角に配置することができる。このために、より大きな、すなわち、奥行き寸法が大きいプリント基板を選択することが可能になって、同一回路であれば１枚のプリント基板で済み、基板構成が簡単になる。
【００３９】
また、請求項１の発明に係るデイスプレイ接続構造によれば、コネクタのプリント基板及びデイスプレイへのそれぞれの接触にあたって、コネクタを圧縮保持手段により圧縮して行うようにしたことにより、圧縮保持手段によりコネクタを圧縮してコネクタをプリント基板及びデイスプレイに接触させることができて、コネクタの導電性弾性材の端部をプリント基板及びデイスプレイのそれぞれの電気接点部に確実に接触させることができる。
【００４０】
また、請求項１の発明に係るデイスプレイ接続構造によれば、圧縮保持手段を、プリント基板の実装面にコネクタを押圧して保持するコネクタホルダと、デイスプレイをコネクタに押圧して、このデイスプレイをプリント基板に装着保持する押え部材とで構成したことにより、コネクタホルダでプリント基板の実装面にコネクタを押圧して保持し、また、押え部材でデイスプレイをコネクタに押圧して、このデイスプレイをプリント基板に装着保持することができて、コネクタの導電性弾性材の端部をプリント基板及びデイスプレイのそれぞれの電気接点部に確実に接触させることができる。
【００４１】
また、請求項２の発明に係る電子機器によれば、奥行き寸法が大きいプリント基板を選択することが可能になって、同一回路であれば１枚のプリント基板で済み基板構成が簡単になる電子機器が作成できる。
【図面の簡単な説明】
【図１】本発明に係る電子機器（カウンタ機器）の斜視図である。
【図２】同電子機器の縦断面図である。
【図３】図２のＱ部の拡大図である。
【図４】フロントモジュール押し部材の斜視図である。
【図５】コネクタホルダの斜視図である。
【図６】コネクタホルダの一部断面した斜視図である。
【図７】コネクタの斜視図である。
【図８】他のコネクタの斜視図である。
【図９】本発明に係る電子機器の他の実施の形態例の斜視図である。
【図１０】本発明に係る電子機器の別の他の実施の形態例の斜視図である。
【図１１】従来のデイスプレイ接続構造の構成説明図である。
【図１２】従来の電子機器の操作パネルへの取付状態の説明図である。
【符号の説明】
１    機器本体
２    プリント基板
３    コネクタ
３Ａ  絶縁性弾性材
３Ｂ  導電性弾性材
４    ＬＣＤ（デイスプレイ）
６    ケース
１３  フロントモジュール押え部材（押え部材）（圧縮保持手段）
１４  コネクタホルダ（圧縮保持手段）
【図１】
0003744230.tif 000002
【図２】
0003744230.tif 000003
【図３】
0003744230.tif 000004
【図４】
0003744230.tif 000005
【図５】
0003744230.tif 000006
【図６】
0003744230.tif 000007
【図７】
0003744230.tif 000008
【図８】
0003744230.tif 000009
【図９】
0003744230.tif 000010
【図１０】
0003744230.tif 000011
【図１１】
0003744230.tif 000012
【図１２】
0003744230.tif 000013